(57)【要約】【課題】使用時に装飾物が脱落したり、損傷することがないと共に、装飾物を取付けた状態で、容易に包装できる装飾物を備えた薬剤放散装置とする。【解決手段】装置本体１の背面側に、モータ３とファン４と薬剤５を設けて薬剤を含む空気とする薬剤放散部２とし、前記装置本体１の正面側に装飾物６を取付ける装飾物取付部７を形成し、前記薬剤を含む空気を放出口１８から装飾物取付部７の上部に放出するようにした送風式の薬剤放散器と、前記装飾物取付部７に取付けた装飾物６を備え、前記装飾物取付部７は装飾物６の周囲を覆い装置本体１の周囲から外側にはみ出すことがないようにする形状とし、装飾物６が人や物に触れないようにする。【選択図】図３
2008142165.tif 000002
【特許請求の範囲】
【請求項１】
装置本体１の背面側に薬剤放散部２を設け、この装置本体１の正面側に装飾物取付部７を設けた送風式の薬剤放散器と、
前記装飾物取付部７に取付けた装飾物６を有し、
前記薬剤放散部２は、モータ３で駆動されるファン４と薬剤５を有し、そのファン４を駆動することで薬剤５に空気が触れて薬剤を含有した空気とし、その空気を装置本体１の正面側に放出するもので、
前記装飾物取付部７は、該装飾物取付部７に取付けた装飾物６の周囲を覆い、その装飾物６が装置本体１の周囲から外側にはみ出すことがないようにする形状であることを特徴とする装飾物を備えた薬剤放散装置。
【請求項２】
装飾物取付部７は、装飾物６の下部を支持する下方の装飾物支持部７ａと、装飾物６を挿入及び目視可能とする上方の開放空間７ｂを有している請求項１記載の装飾物を備えた薬剤放散装置。
【請求項３】
装飾物取付部７は、装置本体１の正面のほぼ全面に開口し、薬剤放散部２の正面２ａに装飾物６を取付けるようにした請求項１記載の装飾物を備えた薬剤放散装置。
【請求項４】
薬剤放散部２からの薬剤を含む空気を前記装飾物取付部７に放出する放出口１８を、装置本体１の装飾物取付部７の外側寄りに形成した請求項１又は２又は３記載の装飾物を備えた薬剤放散装置。
【請求項５】
モータ３とファン４と薬剤５を有した容器１１と、箱体１０で装置本体１とし、
この容器１１を箱体１０の背面側に着脱自在に取付けて薬剤放散部２とした請求項１〜４いずれか１項記載の装飾物を備えた薬剤放散装置。
【発明の詳細な説明】
【技術分野】
【０００１】
本発明は、送風式の薬剤放散器に装飾物を取付けた装飾物を備えた薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで薬剤を含む空気を大気に放散するようにした送風式の薬剤放散器が知られている。
また、特許文献２に開示されたように、額縁の上部に造花などの装飾物を取付け、その額縁の下部に芳香剤を取付けると共に、モータで駆動されるファンを取付け、そのファンによって芳香剤に送風するようにした装飾用装置が知られている。
【０００３】
【特許文献１】特開２００３−１０２３６１号公報
【特許文献２】実開平５−２６４９８号公報
【発明の開示】
【発明が解決しようとする課題】
【０００４】
快適な居住空間を得るには、芳香等の薬剤効果を得ると共に、その空間に装飾効果を得て雰囲気を変えることも重要なことである。
しかし、従来の特許文献１に開示された送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
【０００５】
このことから、特許文献２に開示された装飾用装置のように、放散器本体に装飾物を差し込んで取付けて装飾効果を得ることが考えられるが、前述のように装飾物を放散器本体に差し込んで取付けると、使用時に装飾物が損傷したり脱落することがある。
すなわち、前述の薬剤放散器は居住空間に設置したりなどして使用したり、使用者の体のベルトに吊るしたりなどして使用するので、前述のように装飾物を放散器本体に取付けると、その装飾物が放散器本体から外側にはみ出した状態であるから、使用時に誤って人が装飾物に触れたり、装飾物が物体に触れることで、取付けのバランスが崩れ装飾物が放散器本体から脱落したり、装飾物が損傷することがある。また、触れて装飾物の姿形が崩れて見栄えが悪くなることもある。
【０００６】
また、流通運搬のために装飾物を取付けた状態で包装しようとすると、その装飾物のために包装しづらいので、装飾物と放散器本体を別々に包装し、大きな箱等に入れて流通運搬することになり、そのための作業が面倒である。
【０００７】
本発明の目的は、使用時に装飾物が脱落したり、損傷したりすることがないと共に、装飾物を取付けた状態で容易に包装できるようにした装飾物を備えた薬剤放散装置を提供することである。
【課題を解決するための手段】
【０００８】
第１の発明は、装置本体１の背面側に薬剤放散部２を設け、この装置本体１の正面側に装飾物取付部７を設けた送風式の薬剤放散器と、
前記装飾物取付部７に取付けた装飾物６を有し、
前記薬剤放散部２は、モータ３で駆動されるファン４と薬剤５を有し、そのファン４を駆動することで薬剤５に空気が触れて薬剤を含有した空気とし、その空気を装置本体１の正面側に放出するもので、
前記装飾物取付部７は、該装飾物取付部７に取付けた装飾物６の周囲を覆い、その装飾物６が装置本体１の周囲から外側にはみ出すことがないようにする形状であることを特徴とする装飾物を備えた薬剤放散装置である。
【０００９】
第２の発明は、第１の発明において、装飾物取付部７は、装飾物６の下部を支持する下方の装飾物支持部７ａと、装飾物６を挿入及び目視可能とする上方の開放空間７ｂを有している装飾物を備えた薬剤放散装置である。
【００１０】
第３の発明は、第１の発明において、装飾物取付部７は、装置本体１の正面のほぼ全面に開口し、薬剤放散部２の正面２ａに装飾物６を取付けるようにした装飾物を備えた薬剤放散装置である。
【００１１】
第４の発明は、第１〜第３いずれか１つの発明において、薬剤放散部２からの薬剤を含む空気を前記装飾物取付部７に放出する放出口１８を、装置本体１の装飾物取付部７の外側寄りに形成した装飾物を備えた薬剤放散装置である。
【００１２】
第５の発明は、第１〜第４いずれか１つの発明において、モータ３とファン４と薬剤５を有した容器１１と、箱体１０で装置本体１とし、
この容器１１を箱体１０の背面側に着脱自在に取付けて薬剤放散部２とした装飾物を備えた薬剤放散装置である。
【発明の効果】
【００１３】
第１の発明によれば、装置本体１を正面から見た時に装飾物６が目視されて見栄えの良いものとなると共に、薬剤を含む空気を装置本体１の正面から大気に放散することができる。
また、装飾物６が装置本体１の周囲から外側にはみ出すことがないので、使用時に人が装飾物６に触れたり、装飾物６が物に触れたりすることがなく、装飾物６が脱落したり、損傷することがないと共に、装飾物６を取付けた状態で容易に包装することができる。
【００１４】
第２の発明によれば、装飾物６の下部を装飾物支持部７ａで支持できると共に、開放空間７ｂから目視することができ、下部が小さく上部が大きな装飾物６、例えば造花を取付けるのに好ましい。
【００１５】
第３の発明によれば、シート状の装飾物６や平面形状の装飾物６を取付けるのに好ましい。
【００１６】
第４の発明によれば、薬剤を含む空気が装飾物６に触れることが少なく、ほぼ全量を大気に直接放散することが可能であるから、薬剤を大気に効率良く放散できる。
また、装飾物６が薬剤で汚れることが低減する。
【００１７】
第５の発明によれば、箱体１０から容器１１を取り外して薬剤５を補給したり、交換することが可能である。
【発明を実施するための最良の形態】
【００１８】
本発明の第１の実施の形態を図１〜図４に基づいて説明する。
装置本体１の背面側に薬剤放散部２が設けてある。この薬剤放散部２はモータ３で駆動されるファン４と薬剤５を有し、そのファン４を駆動することで薬剤５に空気が触れて薬剤を含有した空気とし、その空気を装置本体１の正面に向けて放出する。
前記装置本体１の正面側には装飾物６を取付ける装飾物取付部７が設けてある。これによって、送風式の薬剤放散器を形成する。
この装飾物取付部７は、装飾物６の周囲を覆う形状で、装飾物６が装置本体１の周囲から外側にはみ出すことがないようにしてある。
なお、装飾物６は造花などであるが、図１、図３、図４には仮想線で矩形状に図示してある。
【００１９】
このようであるから、使用時に装飾物６に人が触れたり、装飾物６が物に触れたりすることがなく、使用時に装飾物６が装置本体１から脱落したり、損傷したりすることがない。
また、装飾物６を取付けた状態で容易に包装できる。
【００２０】
次に、各部の具体形状を説明する。
前記装置本体１は、箱体１０内の背面側に薬剤放散用の容器１１を設け、その箱体１０内の正面側に空間１２を形成している。
前記容器１１は吸気口１３、吐出口１４、ファン収容室１５、薬剤取付部１６、電池収容室１７を有している。
前記箱体１０の内面と容器１１の上部との間に放出口１８が形成され、この放出口１８は前記空間１２の上部寄り（装飾体取付部７の外側）に連通していると共に、前記吐出口１４に連通し、吸気口１３、吐出口１４、放出口１８、空間１２で空気流通路を形成している。
前記薬剤５は、薬効成分を含浸したプレート状の薬剤含浸体５ａを通気性を有する枠５ｂに嵌合し、通気性を有する押えプレート５ｃで抜けないように保持してある。
そして、枠５ｂを薬剤取付部１６、この実施の形態では吸気口１３に嵌合して着脱自在に取付けてある。
【００２１】
これによって、薬剤放散部２を形成し、ファン４を駆動することで薬剤５を通して空気が吸い込まれて薬剤を含む空気となり、その空気が吐出口１４、放出口１８を経て空間１２に放出される。
また、前記放出口１８は箱体１０の内面寄り、つまり装置本体１の装飾物取付部７の外側寄りであるから、その薬剤を含む空気が装飾物６に吹きつけられることが少なく、ほぼ全量が直接大気に放出されるので、効率良く薬剤を大気に放散できると共に、装飾物６が薬剤によって汚れることが少ない。
【００２２】
前記空間１２の一部、例えば下部は、装置本体１の箱体１０の下部寄り前面に設けた正面板１９で覆われ、装置本体１の箱体１０と薬剤放散部２の正面２ａ（容器１１の正面１１ａ）で装飾物支持部７ａを形成し、かつ空間１２の一部、例えば上部は前方に向けて開放して装飾物６の姿形が確保されると共に、前方から目視されるための開放空間７ｂを形成し、この開放空間７ｂと前記装飾物支持部７ａで装飾物取付部７としてある。
このようであるから、開放空間７ｂから装飾物６を挿入して装飾物支持部７ａに押し込むようにして支持することで、装飾物６を装飾物取付部７に取付けできると共に、下部が小さく上部が大きな装飾物６、例えば造花を取付けるのに好ましい。
【００２３】
前記容器１１は装置本体１の箱体１０とは別体で、その箱体１０に着脱自在に取付けてある。
例えば、容器１１は正面板２０と背面板２１と両側面板２２と上横板２３と下横板２４と中間横板２５でファン収容室１５と電池収容室１７を有し、背面板２１の開口２６の周縁に沿って筒状体２７を一体的に設けて薬剤取付部１６としてある。
前記箱体１０は後面が開口し、その箱体１０の後面開口から容器１１を嵌め込み、抜き出し自在としてある。
このようであるから、容器１１を箱体１０から取り出し、薬剤５を補給したり、交換することが可能である。
【００２４】
前記箱体１０には吊り下げ用の紐８が連結される穴１０ａが形成してあり、この紐８で装置を縦面に吊り下げて使用するようにしてある。
前記装置本体１の箱体１０の正面板１９は平面形状が平板状であるが、山型状、Ｕ字状など任意の形状とすることができる。
また、箱体１０の下面１０ｂを平坦面として、装置全体をテーブルなどの横面に載置して使用できるようにしてある。
これに限ることはなく箱体１０の下面１０ｂは任意に形状にできる。例えば円弧状としても良い。
【００２５】
前記装飾物支持部７ａは上下方向に同一幅としてあるが、上部の幅が広く、下部の幅が狭いほぼ上向きＶ字形状としても良い。
例えば、箱体１０の下部寄りをＶ字形状とする。
このようにすれば、装飾物６の下部が小さくとも安定して支持することができるので、例えば装飾物６が造花の場合に好ましい。
【００２６】
前述のファン４と薬剤５は装置本体１の上部寄りに設けてあるが、このファン４、薬剤５は装置本体１の上下方向任意の位置に設けることができる。
例えば、図５、図６に示すようにファン４、薬剤５を装置本体１の下部寄りに取付ける。
【００２７】
前記電池収容室１７は、図５、図６に示すように箱体１０と容器１１とで形成しても良い。
例えば、容器１１の下横板２４を正面板２０よりも前方に突出して箱体１０の正面板１９に当接して電池収容室１７を形成する。
【００２８】
前記装置本体１の装飾物取付部７における開放空間７ｂの上下寸法が大きいと、装飾物６が脱落し易いので、その開放空間７ｂの上下方向中間に囲い枠を設け、装飾物６がこの囲い枠に干渉して脱落しないようにしても良い。
【００２９】
図５、図６に示す実施の形態においては、箱体１０の正面部に上覆い片１０ｃ、左右の覆い片１０ｄが設けてあり、この覆い片１０ｃ，１０ｄで開放空間７ｂの上と左右を覆っているので、装飾物６のはみ出しをより確実に防止できる。
【００３０】
前述の実施の形態では、装飾物取付部７の開放空間７ｂと装飾物支持部７ａを同一幅としてあるが、開放空間７ｂの幅を広く、装飾物支持部７ａの幅を狭くしても良い。
【００３１】
前記箱体１０と容器１１を一体としても良い。
例えば、図７と図８に示すように、容器１１の正面板２０、背面板２１を箱体１０と一体とし、容器１１の左右の側面板２２と下横板２４を箱体１０で兼用する。
図７においては、ファン４と薬剤５が上方に設けてあるが、前述のように下方に設けることができる。
また、図７においては、容器１１の全高がファン収容室１５と電池収容室１７のみで、その両方の室の高さの合計が箱体１０の全高とほぼ同一としてあるので、装置全体の高さを図３に示すものよりも低くできる。
つまり、図３に示すものでは、容器１１の正面板２０が電池収容室１７よりも下方に突出して容器１１の全高がファン収容室１５と電池収容室１７の高さの合計よりも高いので、装置全体の高さが高くなる。
【００３２】
前記電池収容室１７の高さは、電池１７ａを縦向きに装着する場合が最も高く、横向きで上下に重ねるようにすれば中間の高さで、横向きで水平に並べれば最も低くできる。
【００３３】
前記装飾物取付部７の形状は前述のものに限ることはなく、種々の形状とすることができる。
例えば、図１、図３に示す正面板１９を箱体１０の左右寸法よりも幅狭く、かつ横断面ほぼＵ字状とし、容器１１の正面板２０に固着して上面が開口したポケット状の凹部を形成し、その凹部を装飾物支持部７ａとする。
【００３４】
また、図９、図１０に示すように、箱体１０の下部と容器１１の正面板２０とに亘って斜めのプレート３０を固着し、このプレート３０にスリット３１を形成して装飾物支持部７ａとする。
図９、図１０においては、容器１１の背面板２１は開口２６の周縁部が凹陥形状に凹み、薬剤取付部１６としてある。薬剤５は通気性の容器５ｄ内に粒状の薬剤含浸体５ａを充填してある。
また、箱体１０の上面部が斜めで、開放空間７ｂの上部が拡開した形状としてある。
【００３５】
図１１、図１２に示すように、装飾物取付部７の開放空間７ｂを装置本体１（箱体１０）のほぼ全面に開放した形状とし、薬剤放散部２の正面２ａ（容器１１の正面板２０）に装飾物６を取付ける。例えば、接着テープ片７ｃを設け、装飾物６を貼着して取付ける。
このようにすれば、写真、カレンダーなどのシート状の装飾物６や、花輪や創作織物などの平面形状の装飾物６を貼着して取付けできる。
【００３６】
なお、接着テープ片７ｃに限ることはなく、止めピンなどの留め具を用いて前述のシート状などの装飾物６を取付けても良い。
【００３７】
また、図１１と図１２に一点鎖線で示すようにコーナー部に支持片７ｄを設けて装飾物支持部７ａとし、この装飾物支持部７ａに前述のシート状などの装飾物６の隅部を差し入れて支持するようにしても良い。この支持片７ｄを意匠性に優れたものとすることができる。
【００３８】
また、図１１と図１２に二点鎖線で示すように支持横桟７ｅを設け、この支持横桟７ｅで前述のシート状などの装飾物６を倒れないように支持することもできる。
また、図示は省略するが、開放空間７ｂの周縁全体に張り出し片を帯条に設けて開放空間７ｂの周囲に装飾物支持部７ａを形成することもできる。
【００３９】
また、装飾物６の取付けは前述のように貼着、止めピンによる張りつけ、差し込みなどに限ることはなく、嵌め込み、引掛け、吊り下げなど任意の取付け方法で取付けできる。
【００４０】
前述の実施の形態では、容器１１の正面板２０の上端面を箱体１０の内面との間に隙間を形成し、その隙間を放出口１８としたが、これに限ることはない。
例えば、容器１１の正面板２０を箱体１０の内面に接し、その正面板２０に切欠きを形成したり、孔を形成して放出口とすることもできる。
【００４１】
また、前述の放出口１８は容器１１の正面板２０の上端面と箱体１０の上部の内面の形状を変えることで任意の形状とすることができる。
例えば、前述の正面板２０の上端面と箱体１０の上部の内面の形状を半円形、ほぼ円形とすれば、放出口１８は半円形、ほぼ円形とすることができる。
【００４２】
前述の実施の形態では装置本体１の背面側から空気を吸い込みしたが、正面側から空気を吸い込むようにしても良い。
例えば、図１３、図１４に示すように、容器１１の正面板２０に吸気口１３と薬剤５を設け、装置本体１の正面側上下中間から空気を吸い込み、薬剤を含有した空気を上部から正面側に放出するようにする。
【００４３】
また、装置本体１の箱体１０に容器１１を背面側から着脱自在に取付け、装置本体１の正面側の上下中間から空気を吸い込み、薬剤を含む空気を上部から正面側に放出するようにすることができる。
例えば、図１５、図１６に示すように、箱体１０は背面板４０と中間仕切板４１を有し、その背面板４０に容器挿入口４２を形成すると共に、中間仕切板４１に吸込み口４３と円形凹部４４を形成する。
容器１１の外周面に形成した突部１１ａを背面板４０の容器挿入口４２の切欠部４２ａに合致して挿入することで容器１１の前部を円形凹部４４に回転自在に嵌合すると共に、薬剤５が吸込み口４３に連通し、吐出口１４が放出口１８と連通するようにする。
この状態で突部１１ａが容器挿入口４２を通過するようにし、容器１１の電池収容部１７を形成する矩形突部１１ｂを手で持って回転し、突部１１ａを切欠部４２ａから離隔して背面板４０の内面に接して容器１１から抜けないようにする。
【００４４】
このようにすれば、容器１１を回転して突部１１ａを切欠部４２ａと合致させることで、容器１１を背面側に引き抜いて取り外しできる。
また、容器１１を前述のようにして背面側から装置本体１に取付けできる。
また、ファン４を駆動することで装置本体１の正面側の上下中間から空気を吸い込み、薬剤を含む空気として放出口１８から装置本体１の正面側の上部に放散できる。
【００４５】
また、装置本体１の箱体１０に容器１１を背面側下方から着脱自在に取付けるようにしても良い。
例えば、前述の箱体１０の下部背面側部分と背面板４０の下方部分とに切欠き開口部をそれぞれ形成し、容器１１が前述の箱体１０の背面側部分に、下から上に向けて挿入することで容器１１を取付けできるようにすると共に、容器１１を引き出すことで取り外しできるようにしても良い。
この場合には、背面側から空気を吸い込むようにする。
【００４６】
本発明に用いられる装飾物として、花、観葉植物、草花、アートフラワーリース、アートフラワーガーランドなどの人工花、草、木や犬、猫、鳥、魚、蝶、などの創作動物、昆虫や果実、乗物、人形、ぬいぐるみ、写真、リボン、ペーパークラフト、造形織物、造形物を有する織物など見て美しい物、楽しいもの、癒やすもの、好きなもの、などが挙げられる。
例えば、造花例としては壁掛け調、花輪調、コサージュ調、ブーケ緒、髪飾り調、寄せ花調、花瓶等挿し花調、一輪挿し調、枝垂調、などのオリジナル造花が挙げられる。
【００４７】
本発明の薬剤含浸体５ａの材質として無機質及び有機質の成形材料から成形されたものとしては、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体５ａをファン４に保持しても良い。
また、薬剤として前記のように薬効成分を含浸した薬剤含浸体の他に、薬効成分を適当な溶剤、例えばノルマルパラフィン、イソパラフィン、ナフテン系炭化水素等の石油系溶剤に溶解した油性薬剤、又は水、界面活性剤等を用いて可溶化させた水性薬液を収容した薬剤ボトルでも良い。
【図面の簡単な説明】
【００４８】
【図１】本発明の第１の実施の形態を示す正面図である。
【図２】本発明の第１の実施の形態を示す背面図である。
【図３】図１のＡ−Ａ断面図である。
【図４】図３のＢ−Ｂ断面図である。
【図５】本発明の第２の実施の形態を示す正面図である。
【図６】図５のＣ−Ｃ断面図である。
【図７】本発明の第３の実施の形態を示す断面図である。
【図８】図７のＤ−Ｄ断面図である。
【図９】本発明の第４の実施の形態を示す正面図である。
【図１０】図９のＥ−Ｅ断面図である。
【図１１】本発明の第５の実施の形態を示す正面図である。
【図１２】図１１のＦ−Ｆ断面図である。
【図１３】本発明の第６の実施の形態を示す正面図である。
【図１４】図１３のＧ−Ｇ断面図である。
【図１５】本発明の第７の実施の形態を示す背面図である。
【図１６】図１５のＨ−Ｈ断面図である。
【符号の説明】
【００４９】
１…装置本体、２…薬剤放散部、２ａ…正面、３…モータ、４…ファン、５…薬剤、６…装飾物、７…装飾物取付部、７ａ…装飾物支持部、７ｂ…開放空間、１０…箱体、１１…容器、１２…空間、１３…吸気口、１４…吐出口、１８…放出口、２０…正面板、２１…背面板、２２…側面板、２３…上横板、２４…下横板、２５…中間横板、３０…斜めプレート、３１…スリット。
【図１】
2008142165.tif 000003
【図２】
2008142165.tif 000004
【図３】
2008142165.tif 000005
【図４】
2008142165.tif 000006
【図５】
2008142165.tif 000007
【図６】
2008142165.tif 000008
【図７】
2008142165.tif 000009
【図８】
2008142165.tif 000010
【図９】
2008142165.tif 000011
【図１０】
2008142165.tif 000012
【図１１】
2008142165.tif 000013
【図１２】
2008142165.tif 000014
【図１３】
2008142165.tif 000015
【図１４】
2008142165.tif 000016
【図１５】
2008142165.tif 000017
【図１６】
2008142165.tif 000018